(57)【特許請求の範囲】
【請求項１】
照明制御システムにおけるアドレス決定方法であって、
前記照明制御システムは、
各々が少なくとも１つの照明器具の調光及び調色の少なくとも一方の制御を行う複数の制御装置と、
前記複数の制御装置と通信ネットワークによって接続され、当該通信ネットワークを介して前記複数の制御装置に個別に制御の指示を行う操作装置とを備え、
前記アドレス決定方法は、
前記複数の制御装置のそれぞれが、当該制御装置が有する設定ボタンがユーザによって押されることに応じて、前記操作装置に信号を送信する送信ステップと、
前記操作装置が、前記信号を受信するごとに、当該信号を送信した制御装置に前記指示を行うためのアドレスを決定する決定ステップとを含み、
前記複数の制御装置のそれぞれは、アドレスの候補である候補アドレスが複数記憶された第１候補アドレス記憶部を備え、
前記送信ステップにおいては、前記複数の制御装置のそれぞれは、当該制御装置が備える前記第１候補アドレス記憶部に記憶された候補アドレスを前記信号に含めて送信し、
前記決定ステップにおいては、前記信号を受信するごとに、当該信号に含まれる候補アドレスを、当該信号を送信した制御装置のアドレスとして決定する
アドレス決定方法。
【請求項２】
前記操作装置は、さらに、
前記操作装置に前記指示を行わせるためにユーザが操作する、前記複数の制御装置に対応して設けられた複数の操作部と、
記憶部とを備え、
前記アドレス決定方法は、さらに、前記操作装置が、前記決定ステップにおいて決定されたアドレスを、前記複数の操作部のうちの一つと対応付けて前記記憶部に記憶する記憶ステップを含む
請求項１に記載のアドレス決定方法。
【請求項３】
さらに、
前記操作装置がモード移行コマンドを前記複数の制御装置に送信するコマンド送信ステップと、
前記複数の制御装置のそれぞれが、前記モード移行コマンドを受信することによって初期設定モードに移行する移行ステップとを含み、
前記送信ステップにおいては、前記初期設定モードに移行した前記複数の制御装置のそれぞれが、当該制御装置が有する設定ボタンがユーザによって押されることに応じて、前記操作装置に前記信号を送信する
請求項１または２に記載のアドレス決定方法。
【請求項４】
前記操作装置は、モード移行ボタンをさらに備え、
前記コマンド送信ステップにおいては、前記モード移行ボタンがユーザによって押されることに応じて、前記操作装置がモード移行コマンドを前記複数の制御装置に送信する
請求項３に記載のアドレス決定方法。
【請求項５】
さらに、前記操作装置が、決定したアドレスを前記複数の制御装置に通知する通知ステップを含み、
前記送信ステップにおいて、アドレスの前記通知が行われた制御装置の次に前記設定ボタンが押された制御装置は、当該制御装置が備える前記第１候補アドレス記憶部に記憶された候補アドレスのうち、前記通知に基づいて定められる未使用の候補アドレスを前記信号に含めて送信する
請求項１〜４のいずれか１項に記載のアドレス決定方法。
【請求項６】
照明制御システムにおけるアドレス決定方法であって、
前記照明制御システムは、
各々が少なくとも１つの照明器具の調光及び調色の少なくとも一方の制御を行う複数の制御装置と、
前記複数の制御装置と通信ネットワークによって接続され、当該通信ネットワークを介して前記複数の制御装置に個別に制御の指示を行う操作装置とを備え、
前記複数の制御装置のそれぞれは、当該制御装置のアドレスが記憶されるアドレス記憶部を備え、
前記アドレス決定方法は、
前記複数の制御装置のそれぞれが、当該制御装置が有する設定ボタンがユーザによって押されることに応じて、前記操作装置に信号を送信する送信ステップと、
前記操作装置が、前記信号を受信するごとに、当該信号を送信した制御装置に前記指示を行うためのアドレスを決定する決定ステップと、
前記操作装置がモード移行コマンドを前記複数の制御装置に送信するコマンド送信ステップと、
前記複数の制御装置のそれぞれが、前記モード移行コマンドを受信することによって初期設定モードに移行する移行ステップと、
前記操作装置が、前記複数の制御装置に、前記アドレス記憶部に記憶されたアドレスの送信を要求する要求ステップと、
前記操作装置が、前記複数の制御装置から前記要求に応じて送信される複数のアドレスに重複するアドレスが含まれるか否かを判定する判定ステップとを含み、
前記送信ステップにおいては、前記初期設定モードに移行した前記複数の制御装置のそれぞれが、当該制御装置が有する設定ボタンがユーザによって押されることに応じて、前記操作装置に前記信号を送信し、
前記コマンド送信ステップにおいては、前記複数のアドレスに重複するアドレスが含まれると判定された場合に、前記操作装置がモード移行コマンドを前記複数の制御装置に送信する
アドレス決定方法。
【請求項７】
さらに、前記複数の制御装置のうち一の制御装置が前記要求に応じて送信したアドレスが、他の制御装置のアドレスと重複する場合に、当該他の制御装置がアドレス重複情報を前記操作装置に送信する重複情報送信ステップを含み、
前記操作装置は、前記アドレス重複情報を受信した場合、前記判定ステップにおいて、前記複数のアドレスに重複するアドレスが含まれると判定する
請求項６に記載のアドレス決定方法。
【請求項８】
前記送信ステップにおいては、
前記複数の制御装置のうち設定ボタンが押された第１制御装置は、前記第１制御装置のアドレス記憶部に記憶された第１アドレスを前記信号に含めて送信し、
前記複数の制御装置のうち前記第１制御装置以外の第２制御装置であって、アドレスが決定されていない前記第２制御装置は、前記第１アドレスをインクリメントする
請求項６または７に記載のアドレス決定方法。
【請求項９】
前記アドレス記憶部には、所定のアドレスが記憶され、当該アドレス記憶部を備える制御装置のアドレスが決定された場合に、当該アドレス記憶部に記憶された前記所定のアドレスは、決定されたアドレスに上書きされる
請求項６〜８のいずれか１項に記載のアドレス決定方法。
【請求項１０】
前記複数の制御装置のそれぞれは、さらに、前記設定ボタンが押されていない場合に、アドレスが未決定であることをユーザに報知する報知部を備える
請求項１〜９のいずれか１項に記載のアドレス決定方法。
【請求項１１】
各々が少なくとも１つの照明器具の調光及び調色の少なくとも一方の制御を行う複数の制御装置と、
前記複数の制御装置と通信ネットワークによって接続され、当該通信ネットワークを介して前記複数の制御装置に個別に制御の指示を行う操作装置とを備え、
前記複数の制御装置のそれぞれは、
設定ボタンと、
前記設定ボタンがユーザによって押されることに応じて、前記操作装置に信号を送信する送信部と、
アドレスの候補である候補アドレスが複数記憶された第１候補アドレス記憶部とを備え、
前記操作装置は、
前記信号を受信する受信部と、
前記信号が受信されるごとに、当該信号を送信した制御装置に前記指示を行うためのアドレスを決定する決定部とを備え、
前記複数の制御装置のそれぞれは、当該制御装置が備える前記送信部を用いて、当該制御装置が備える前記第１候補アドレス記憶部に記憶された候補アドレスを前記信号に含めて送信し、
前記決定部は、前記信号を受信するごとに、当該信号に含まれる候補アドレスを、当該信号を送信した制御装置のアドレスとして決定する
照明制御システム。
【請求項１２】
請求項１１に記載の照明制御システムが備える制御装置。
【請求項１３】
請求項１１に記載の照明制御システムが備える操作装置。
【発明の詳細な説明】
【技術分野】
【０００１】
本発明は、照明制御システムにおけるアドレス決定方法に関する。
【背景技術】
【０００２】
従来、複数の照明器具を制御するための照明制御システムが知られている（例えば、特許文献１及び特許文献２参照）。このような照明制御システムにおいては、複数の照明器具を個別に制御するために、複数の照明器具のそれぞれには、アドレスが付与される。
【０００３】
例えば、特許文献１には、導入済みの照明制御システムにおいて、照明器具が交換される場合、または、新たに照明器具が追加される場合におけるアドレスの設定方法が開示されている。
【先行技術文献】
【特許文献】
【０００４】
【特許文献１】特開２０１０−２１１９３８号公報
【特許文献２】特開平１１−２８３７５７号公報
【発明の概要】
【発明が解決しようとする課題】
【０００５】
ところで、新規に照明制御システムを導入する場合、対象装置（照明器具や調光器など）に設けられた複数桁分のディップスイッチを使用して、設置者が手動で制御対象の装置のアドレスを決定する方法が一般的である。このような方法は、設置者にとって手間のかかるものであり、より簡便な手法が求められる。
【０００６】
そこで、本発明は、対象装置のアドレスを簡単に決定することができるアドレスの決定方法を提供する。
【課題を解決するための手段】
【０００７】
本発明の一態様に係るアドレス決定方法は、照明制御システムにおけるアドレス決定方法であって、前記照明制御システムは、各々が少なくとも１つの照明器具の調光及び調色の少なくとも一方の制御を行う複数の制御装置と、前記複数の制御装置と通信ネットワークによって接続され、当該通信ネットワークを介して前記複数の制御装置に個別に制御の指示を行う操作装置とを備え、前記アドレス決定方法は、前記複数の制御装置のそれぞれが、当該制御装置が有する設定ボタンがユーザによって押されることに応じて、前記操作装置に信号を送信する送信ステップと、前記操作装置が、前記信号を受信するごとに、当該信号を送信した制御装置に前記指示を行うためのアドレスを決定する決定ステップとを含む。
【０００８】
本発明の一態様に係る照明制御システムは、各々が少なくとも１つの照明器具の調光及び調色の少なくとも一方の制御を行う複数の制御装置と、前記複数の制御装置と通信ネットワークによって接続され、当該通信ネットワークを介して前記複数の制御装置に個別に制御の指示を行う操作装置とを備え、前記複数の制御装置のそれぞれは、設定ボタンと、前記設定ボタンがユーザによって押されることに応じて、前記操作装置に信号を送信する送信部とを備え、前記操作装置は、前記信号を受信する受信部と、前記信号が受信されるごとに、当該信号を送信した制御装置に前記指示を行うためのアドレスを決定する決定部とを備える。
【発明の効果】
【０００９】
本発明のアドレス決定方法等によれば、対象装置のアドレスを簡単に決定することができる。
【図面の簡単な説明】
【００１０】
【図１】図１は、実施の形態１に係る照明制御システムのシステム構成図である。
【図２】図２は、照明器具の外観を示す模式図である。
【図３】図３は、調光器の外観を示す模式図である。
【図４】図４は、操作装置の外観を示す模式図である。
【図５】図５は、実施の形態１に係るアドレス決定処理のシーケンス図である。
【図６】図６は、実施の形態２に係るアドレス決定処理のシーケンス図である。
【図７】図７は、実施の形態３に係るアドレス決定処理のシーケンス図である。
【図８】図８は、変形例に係る照明制御システムのシステム構成図である。
【発明を実施するための形態】
【００１１】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１２】
なお、発明者は、当業者が本発明を十分に理解するために添付図面および以下の説明を提供するのであって、これらによって特許請求の範囲に記載の主題を限定することを意図するものではない。
【００１３】
なお、各図は模式図であり、必ずしも厳密に図示されたものではない。また、各図において、実質的に同一の構成に対しては同一の符号を付しており、重複する説明は省略または簡略化される場合がある。
【００１４】
（実施の形態１）
［照明制御システムの構成］
まず、実施の形態１に係る照明制御システムの構成について説明する。図１は、実施の形態１に係る照明制御システムのシステム構成図である。
【００１５】
図１に示されるように、照明制御システム１００は、複数の調光器（調光器２０ａ〜２０ｎ）と、操作装置３０と、複数の照明器具（照明器具１０ａ〜１０ｎ）とを備える。なお、図中では、調光器２０ａ〜２０ｎは、それぞれ調光器１〜ｎと記載されている。
【００１６】
照明制御システム１００は、ユーザが複数の照明器具１０ａ〜１０ｎ（調光器２０ａ〜２０ｎ）を、操作装置３０を通じて一括して制御することができるシステムである。つまり、照明制御システム１００においては、操作装置３０が親機として動作し、調光器２０ａ〜２０ｎが子機として動作する。照明制御システム１００は、例えば、エネルギーの節約や、照明による演出を目的として、一般家庭、店舗、または事務所等に導入される。
【００１７】
操作装置３０は、複数の調光器２０ａ〜２０ｎと信号線４０によって接続されている。操作装置３０は、ユーザの操作に基づいて、信号線４０を介して複数の調光器２０ａ〜２０ｎに個別に制御の指示を行う。信号線４０は、通信ネットワークの一例であり、操作装置３０と複数の調光器２０ａ〜２０ｎとの通信は、信号線４０を介して行われる。
【００１８】
複数の調光器２０ａ〜２０ｎは、操作装置３０からの指示を受信し、受信した指示に基づいて当該調光器に有線接続された照明器具の調光を制御する。なお、以下の説明において、「調光の制御」には、点灯の制御及び消灯の制御も含まれる。
【００１９】
実施の形態１では、１つの調光器に対して１つの照明器具が接続されている。具体的には、調光器２０ａには照明器具１０ａ、調光器２０ｂには照明器具１０ｂ、調光器２０ｎには照明器具１０ｎがそれぞれ接続されている。なお、１つの調光器に複数の照明器具が接続されてもよい。
【００２０】
このような照明制御システム１００においては、導入時に調光器２０ａ〜２０ｎのそれぞれに対して個別に指示を行うためのアドレスが定められる必要がある。照明制御システム１００では、調光器２０ａ〜２０ｎのアドレスの決定方法（アドレス決定処理）に特徴を有し、このような特徴については後述する。
【００２１】
［照明器具の構成］
以下、照明制御システム１００を構成する各構成要素について詳細に説明する。まず、照明器具１０ａについて、図１及び図２を用いて説明する。図２は、照明器具の外観を示す模式図である。
【００２２】
照明器具１０ａは、室内を照明するいわゆるシーリングライトであり、調光器２０ａによって調光制御される。照明器具１０ａの光源としては、例えば、ＬＥＤが用いられる。なお、照明制御システム１００に含まれる照明器具の態様は、照明器具１０ａのような態様に限定されるものではない。
【００２３】
［調光器の構成］
次に、調光器２０ａについて、図１及び図３を用いて詳細に説明する。図３は、調光器２０ａの外観を示す模式図である。
【００２４】
調光器２０ａは、制御装置の一例であって、操作装置３０からの指示にしたがって照明器具１０ａの調光の制御を行う装置である。図１及び図２に示されるように、調光器２０ａは、制御部２１ａと、初期設定ボタン２３ａと、記憶部２４ａと、ＬＥＤ２５ａと、操作部２６ａとを備える。
【００２５】
制御部２１ａは、操作装置３０の制御部３１（通信部３２）から信号線４０を通じて受信した指示に調光器２０ａのアドレスが含まれている場合、当該指示基づいて、照明器具１０ａの調光を制御する。制御部２１ａは、例えば、ＰＷＭ（Ｐｕｌｓｅ  Ｗｉｄｔｈ  Ｍｏｄｕｌａｔｉｏｎ）信号を照明器具１０ａに出力し、当該ＰＷＭ信号のデューティ比の変更により、照明器具１０ａの調光を制御する。なお、実施の形態１では、制御部２１ａは、通信部２２ａを有し、上記指示の受信は、通信部２２ａによって行われる。
【００２６】
なお、制御部２１ａは、通信部２２ａが受信した指示が他の調光器のアドレスを含むものである場合は、受信した指示には従わない。
【００２７】
また、アドレス決定処理において、通信部２２ａが操作装置３０の制御部３１（通信部３２）からモード移行コマンドを受信した場合、制御部２１ａは、初期設定モードに移行する。制御部２１ａは、具体的には、ＬＥＤ２５ａを点灯させる。
【００２８】
初期設定モードにおいては、制御部２１ａが有する通信部２２ａは、送信部として機能し、初期設定ボタン２３ａがユーザによって押されることに応じて、信号線４０を介して操作装置３０に応答信号を送信する。
【００２９】
制御部２１ａは、プロセッサ、マイクロコンピュータ、及び、専用回路などにより実現される。制御部２１ａは、さらに具体的には、例えば、ＰＷＭ制御回路及びマイクロコンピュータの組合せにより実現される。
【００３０】
初期設定ボタン２３ａは、設定ボタンの一例であって、アドレス決定処理においてユーザが押下する押しボタンである。実施の形態１では、初期設定ボタン２３ａは、ハードウェアボタンであるが、調光器２０ａが表示部（表示画面）を備えるような場合は、当該表示部に表示されたＧＵＩ（Ｇｒａｐｈｉｃａｌ  Ｕｓｅｒ  Ｉｎｔｅｒｆａｃｅ）とタッチパネルなどの入力デバイスとの組み合わせにより実現されてもよい。
【００３１】
記憶部２４ａには、アドレスの候補である候補アドレスが複数記憶されている。また、記憶部２４ａには、照明制御システム１００における調光器２０ａのアドレス（アドレス決定処理により決定されたアドレス）も記憶される。記憶部２４ａは、第１候補アドレス記憶部及びアドレス記憶部の一例であって、具体的には、半導体メモリなどである。
【００３２】
ＬＥＤ２５ａは、報知部の一例であって、調光器２０ａが初期設定モードの動作中に発光し、調光器２０ａのアドレスが未決定であることをユーザに報知する。つまり、ＬＥＤ２５ａは、調光器２０ａが初期設定モードで動作中であって、かつ、初期設定ボタン２３ａが押されていない場合に、点灯（発光）する。
【００３３】
一方、ＬＥＤ２５ａは、調光器２０ａが初期設定モードで動作中であって、かつ、初期設定ボタン２３ａが押された後には、消灯する。なお、ＬＥＤ２５ａは、点灯する代わりに点滅することにより上記報知を行ってもよい。また、報知部は、ＬＥＤ以外の発光素子により実現されてもよい。また、報知部は、ブザー等により構成され、音によって調光器２０ａのアドレスが未決定であることをユーザに報知してもよく、報知部の具体的態様は特に限定されるものではない。
【００３４】
操作部２６ａは、調光器２０ａに照明器具１０ａの調光の制御をさせるためにユーザが手動操作するユーザインターフェースである。操作部２６ａが設けられていることにより、ユーザは、調光器２０ａを直接操作することによっても照明器具１０ａの調光を制御することができる。
【００３５】
調光器２０ａは、操作部２６ａを含む５つの操作部を有しており、その５つの操作部に対応して、５つの系統の照明器具を接続することができる。つまり、調光器２０ａにおいて、操作部は、調光器２０ａに接続可能な照明器具の系統数分設けられる。
【００３６】
実施の形態１では、操作部２６ａは、ハードウェアボタンであるが、調光器２０ａが表示部を備えるような場合は、当該表示部に表示されたＧＵＩとタッチパネルなどの入力デバイスとの組み合わせにより実現されてもよい。
【００３７】
なお、調光器２０ｂ及び調光器２０ｎは、調光器２０ａと同様の構成である。図２に示されるように、調光器２０ｂは、制御部２１ｂと、初期設定ボタン２３ｂと、記憶部２４ｂと、ＬＥＤ２５ｂと、操作部２６ｂとを備え、調光器２０ｎは、制御部２１ｎと、初期設定ボタン２３ｎと、記憶部２４ｎと、ＬＥＤ２５ｎと、操作部２６ｎとを備える。調光器２０ｂ及び調光器２０ｎの詳細な説明については省略される。
【００３８】
［操作装置の構成］
次に、操作装置３０について、上述の図１及び図４を用いて説明する。図４は、操作装置３０の外観を示す模式図である。
【００３９】
操作装置３０は、複数の調光器２０ａ〜２０ｎと信号線４０を介して接続され、当該信号線４０を介して複数の調光器２０ａ〜２０ｎに個別に制御の指示を行う。図１及び図３に示されるように、操作装置３０は、制御部３１と、操作部３３と、初期設定モード移行ボタン３４と、記憶部３５と、電源ボタン３６とを備える。
【００４０】
操作部３３は、操作装置３０に調光器２０ａ〜２０ｎへの指示を行わせるためにユーザが操作するユーザインターフェースである。図３に示される例では、調光器２０ａは操作部を５系統有しており、操作装置３０の操作部３３の５つ分が調光器２０ａの１台分に相当する。実施の形態１では、操作装置３０は、照明制御システム１００に含まれる複数の調光器２０ａ〜２０ｎが有している操作部２６ａの合計と同じ数の操作部を有する。操作部３３は、具体的には、ハードウェアボタンであるが、操作部３３が表示部を備えるような場合は、当該表示部に表示されたＧＵＩとタッチパネルなどの入力デバイスとの組み合わせにより実現されてもよい。
【００４１】
記憶部３５には、アドレス決定処理によって決定されたアドレスが、複数の操作部のうちの一つと対応付けて記憶される。記憶部３５は、具体的には、半導体メモリなどである。
【００４２】
制御部３１は、ユーザの操作部３３への操作に基づいて、操作部３３に対応付けられた調光器のアドレスを含む指示を、信号線４０を介して送信する。実施の形態１では、制御部３１は、通信部３２を有し、上記指示は、通信部３２によって送信される。制御部３１は、具体的には、ユーザによって操作された操作部に対応するアドレスを記憶部３５から読み出し、読み出したアドレスを含む指示を、通信部３２を用いて送信する。
【００４３】
アドレス決定処理においては、通信部３２は、初期設定モード移行ボタン３４が押下されたことに応じて、調光器２０ａ〜２０ｎに、これらの調光器を初期設定モードに移行させるためのモード移行コマンドを送信する。
【００４４】
また、アドレス決定処理において、通信部３２が調光器２０ａ〜２０ｎから応答信号を受信した場合、制御部３１は、受信した応答信号に含まれる候補アドレスをアドレスとして決定する。つまり、制御部３１は、応答信号を受信するごとに、当該応答信号を送信した制御装置に指示を行うためのアドレスを決定する。このように、アドレス決定処理においては、制御部３１は、決定部として機能し、通信部３２は、受信部として機能する。また、アドレスの決定後、制御部３１は、決定したアドレスを複数の操作部のうちの一つと対応付けて記憶部３５に記憶する。
【００４５】
以上説明した制御部３１は、具体的には、プロセッサ、マイクロコンピュータ、または専用回路などにより実現される。
【００４６】
初期設定モード移行ボタン３４は、モード移行ボタンの一例であって、後述するアドレス決定処理においてユーザが押下する押しボタンである。実施の形態１では、初期設定モード移行ボタン３４は、ハードウェアボタンであるが、操作装置３０が表示部を備えるような場合は、当該表示部に表示されたＧＵＩとタッチパネルなどの入力デバイスとの組み合わせにより実現されてもよい。
【００４７】
電源ボタン３６は、操作装置３０の電源をオン及びオフするためのハードウェアボタンである。
【００４８】
［アドレス決定処理］
次に、照明制御システム１００における特徴構成であるアドレス決定処理について、図５のシーケンス図を用いて説明する。図５は、アドレス決定処理のシーケンス図である。
【００４９】
まず、ユーザは、操作装置３０の初期設定モード移行ボタン３４を押下する（Ｓ１０）。通信部３２は、初期設定モード移行ボタン３４がユーザによって押されることに応じて、モード移行コマンドを複数の調光器２０ａ〜２０ｎに送信する（Ｓ１１）。
【００５０】
複数の調光器２０ａ〜２０ｎのそれぞれは、モード移行コマンドを受信することによって初期設定モードに移行し、当該調光器に設けられたＬＥＤを点灯する（Ｓ１２）。例えば、通信部２２ａがモード移行コマンドを受信した場合、制御部２１ａは、初期設定モードに移行し、ＬＥＤ２５ａを点灯させる。同様に、通信部２２ｂがモード移行コマンドを受信した場合、制御部２１ｂは、初期設定モードに移行して、ＬＥＤ２５ｂを点灯させ、通信部２２ｎがモード移行コマンドを受信した場合、制御部２１ｎは、初期設定モードに移行して、ＬＥＤ２５ｎを点灯させる。
【００５１】
ここで、ユーザは、ＬＥＤが点灯している調光器、つまり、調光器２０ａ〜２０ｎの初期設定ボタンを順番に押していく。例えば、ユーザは、調光器２０ａの初期設定ボタン２３ａを押す（Ｓ１３）。すると、調光器２０ａの制御部２１ａは、調光器２０ａが備える記憶部２４ａに記憶された複数の候補アドレスのうちの任意の一つを調光器２０ａのアドレスとして記憶し、通信部２２ａは、読み出した候補アドレスを含めた応答信号を操作装置３０に送信する（Ｓ１４）。つまり、初期設定モードに移行した調光器２０ａの通信部２２ａは、調光器２０ａが有する初期設定ボタン２３ａがユーザによって押されることに応じて、操作装置３０に応答信号を送信する。
【００５２】
なお、複数の調光器のそれぞれが有する記憶部（例えば、記憶部２４ａ）内において、複数の候補アドレスは、当該候補アドレスが使用中であるか未使用であるかを示す情報（例えば、フラグ）に紐付けされている。上記ステップＳ１４においてアドレスとして記憶及び送信される候補アドレスは、未使用の候補アドレスである。なお、候補アドレスが使用中であるか否かは、後述のステップＳ１７における通知に基づいて判断される。
【００５３】
操作装置３０において、通信部３２が通信部２２ａから応答信号を受信すると、制御部３１は、受信された応答信号に含まれる候補アドレスを、当該応答信号を送信した調光器２０ａのアドレスとして決定する（Ｓ１５）。言い換えれば、制御部３１は、受信された応答信号に含まれる候補アドレスを、当該応答信号を送信した調光器２０ａのアドレスとして認識する。そして、制御部３１は、決定されたアドレスを、複数の操作部のうちアドレスが対応付けられていない一つの操作部（例えば、操作部３３）と対応付けて記憶部３５に記憶する（Ｓ１６）。続いて、制御部３１は、決定したアドレスを、通信部３２を用いて複数の調光器２０ａ〜２０ｎに通知する（Ｓ１７）。
【００５４】
上記通知を受信した調光器２０ａは、ＬＥＤ２５ａを消灯する（Ｓ１８）。具体的には、通信部２２ａが上記通知を受信した場合に、制御部２１ａがＬＥＤ２５ａを消灯する。
【００５５】
一方で、その他の調光器（調光器２０ｂ〜２０ｎ）は、上記通知を受信すると、当該通知に含まれるアドレスと同一の候補アドレスを使用済みの候補アドレスとして記憶（管理）する（Ｓ１９）。例えば、調光器２０ｂにおいては、通信部２２ｂが上記通知を受信すると、制御部２１ｂは、記憶部２４ｂ内の候補アドレスであって、当該通知に含まれるアドレスと同一の候補アドレスを使用済みの候補アドレスとして記憶する（使用済みフラグを立てる）。同様に、調光器２０ｎにおいては、通信部２２ｎが上記通知を受信すると、制御部２１ｎは、記憶部２４ｎ内の候補アドレスであって、当該通知に含まれるアドレスと同一の候補アドレスを使用済みの候補アドレスとして記憶する。
【００５６】
次に、ユーザは、ＬＥＤが点灯している調光器、つまり、調光器２０ａ以外の調光器の初期設定ボタンを押す。例えば、ユーザは、調光器２０ｂの初期設定ボタン２３ｂを押す（Ｓ２０）。すると、調光器２０ｂの制御部２１ｂは、記憶部２４ｂに記憶された複数の候補アドレスのうちの未使用の候補アドレスの一つを調光器２０ｂのアドレスとして記憶し、通信部２２ａは、読み出した候補アドレスを含めた応答信号を操作装置３０に送信する（Ｓ２１）。つまり、アドレスの通知が行われた調光器２０ａの次に初期設定ボタン２３ｂが押された調光器２０ｂは、調光器２０ｂが備える記憶部２４ｂに記憶された候補アドレスのうち、ステップＳ１９の通知に基づいて定められる未使用の候補アドレスを応答信号に含めて送信する。以降の処理は、ステップＳ１５〜ステップＳ１９の処理と同様である。
【００５７】
なお、上記のアドレス決定処理中の通信においては、アドレスの指定は行われない。例えば、ステップＳ１１においては、通信部３２は、信号線４０にモード移行コマンドを送信し、複数の調光器２０ａ〜２０ｎが信号線４０をモニタすることになる。ステップＳ１４及びステップＳ１７においても同様である。しかしながら、上記のアドレス決定処理中の通信において、ブロードキャストアドレスが指定されてもよい。
【００５８】
なお、ステップＳ１２において、記憶部２４ｂ内に記憶されている使用済みの候補アドレスを、一旦未使用の候補アドレスとして記憶するようにしても構わない。
【００５９】
［効果等］
以上説明したように、照明制御システム１００におけるアドレス決定処理（アドレス決定方法）は、複数の調光器２０ａ〜２０ｎのそれぞれが、当該調光器が有する設定ボタンがユーザによって押されることに応じて、操作装置３０に応答信号を送信する。そして、操作装置３０は、応答信号を受信するごとに、当該応答信号を送信した制御装置に指示を行うためのアドレスを決定する。
【００６０】
このようなアドレス決定処理によれば、ユーザは、初期設定ボタンを一度押す（ワンプッシュする）だけで、当該初期設定ボタンを有する調光器のアドレスを決定することができ、施工時の作業を簡略化し、作業効率を向上させることができる。
【００６１】
また、上記アドレス決定処理では、さらに、操作装置３０が、決定されたアドレスを、複数の操作部のうちの一つと対応付けて記憶部３５に記憶する。
【００６２】
これにより、ユーザは、初期設定ボタンを一度押すだけで、当該初期設定ボタンを有する調光器のアドレスを操作装置３０の操作部に割り当てる（関連付ける）ことができる。
【００６３】
また、実施の形態１では、複数の調光器２０ａ〜２０ｎのそれぞれは、初期設定モードの動作中であって、かつ、初期設定ボタンが押されていない場合に発光するＬＥＤ（例えば、ＬＥＤ２５ａ）を備えている。
【００６４】
このようなＬＥＤによれば、当該ＬＥＤを有する調光器のアドレスが未決定であることをユーザは認識することができる。このため、ユーザのアドレスの決定ミス（決定し忘れ）を抑制することができる。
【００６５】
（実施の形態２）
［実施の形態２に係るアドレス決定処理］
上記実施の形態１では、初期設定モード移行ボタンがユーザによって押されることに応じて、操作装置３０がモード移行コマンドを複数の調光器２０ａ〜２０ｎに送信した。そして、複数の調光器２０ａ〜２０ｎのそれぞれが、モード移行コマンドを受信することによって初期設定モードに移行した。
【００６６】
しかしながら、複数の調光器２０ａ〜２０ｎの初期設定モードへの移行は、初期設定モード移行ボタンの押下をトリガとする方法に限定されるものではなく、別の方法で行われてもよい。そこで、実施の形態２では、実施の形態１とは異なるアドレス決定処理について図６を参照しながら説明する。図６は、実施の形態２に係るアドレス決定処理のシーケンス図である。
【００６７】
なお、以下の実施の形態２では、実施の形態１で既に説明した内容や、実質的に同一の内容については説明が簡略化または省略される。また、実施の形態２に係るアドレス決定処理は、照明制御システム１００とほぼ同一の照明制御システムを用いて実行されるものとし、以下では、このほぼ同一の照明制御システムについても照明制御システム１００と記載される。
【００６８】
まず、図６に示されるアドレス決定処理の概要について説明する。実施の形態２においては、工場出荷時には、複数の調光器２０ａ〜２０ｎのそれぞれが有する記憶部（例えば、記憶部２４ａ）には、所定のアドレスが記憶されている。言い換えれば、複数の調光器２０ａ〜２０ｎのそれぞれが有する記憶部（例えば、記憶部２４ａ）は、当該調光器のアドレスを記憶するアドレス記憶部として機能し、複数の調光器２０ａ〜２０ｎのそれぞれは、工場出荷時にアドレスが仮決めされている。そして、アドレス決定処理によってアドレスが決定された場合に、それまで記憶部に記憶されていた所定のアドレスは、決定されたアドレスに上書きされる。
【００６９】
したがって、照明制御システム１００に、工場出荷された調光器であって、アドレス決定処理が行われていない調光器が複数含まれる場合、これら複数の調光器のアドレスは重複する。具体的には、新規に照明制御システム１００が導入される場合や、照明制御システム１００に新たに調光器を追加される場合には、調光器の記憶部に記憶されたアドレスの重複が生じる。図６に示されるアドレス決定処理は、このようなアドレスの重複をトリガとして初期設定モードに移行する処理を含むものである。なお、以下の図６の説明では、アドレス決定処理の開始時点で記憶部に記憶されているアドレスを自アドレスと記載する。
【００７０】
図６に示されるように、実施の形態２に係るアドレス決定処理においては、まず、ユーザは、操作装置３０の電源ボタン３６を押下する（Ｓ１１０）。通信部３２は、電源ボタン３６がユーザによって押されることに応じて、アドレス要求を送信する（Ｓ１１１）。
【００７１】
アドレス要求を受信した複数の調光器２０ａ〜２０ｎのそれぞれは、自アドレスを送信する（Ｓ１１２）。例えば、調光器２０ａの制御部２１ａは、通信部２２ａを用いて自アドレスを送信する。
【００７２】
次に、操作装置３０の通信部３２は、複数の調光器２０ａ〜２０ｎからアドレス要求に応じて送信される複数の自アドレスを受信し、制御部３１は、受信された自アドレスに重複する自アドレスが含まれるか否かを判定する。
【００７３】
ここで、上記判定においては、複数の調光器２０ａ〜２０ｎのそれぞれから同一の自アドレスが送信されたのか、一つの調光器から複数回同一の自アドレスが送信されたのかを区別できない場合がある。そこで、実施の形態２では、より判定の精度を高めるために、上記判定にアドレス重複情報が用いられる。
【００７４】
実施の形態１で説明したように、アドレス決定処理中の通信においては、アドレスが指定されず、複数の調光器２０ａ〜２０ｎのそれぞれが信号線４０を伝送される情報をモニタしている。つまり、複数の調光器２０ａ〜２０ｎのうち一の調光器がアドレス要求に応じて送信した自アドレスは、他の調光器によってモニタ可能である。
【００７５】
そこで、実施の形態２では、複数の調光器２０ａ〜２０ｎのうち一の調光器がアドレス要求に応じて送信した自アドレスが、他の調光器の自アドレスと重複する場合に、当該他の調光器がアドレス重複情報を操作装置３０に送信する。例えば、図６に示されるように、調光器２０ｂの制御部２１ｂは、調光器２０ａが送信した自アドレスまたは調光器２０ｎが送信した自アドレスが、記憶部２４ｂに記憶された自アドレスと重複する場合に、通信部２２ｂを用いてアドレス重複情報を送信する（Ｓ１１３）。
【００７６】
通信部３２がアドレス重複情報を受信した場合、制御部３１は、複数の自アドレスに重複する自アドレスが含まれると判定し、この判定をトリガとして、モード移行コマンドを複数の調光器２０ａ〜２０ｎに送信する（Ｓ１１）。複数の調光器２０ａ〜２０ｎのそれぞれは、モード移行コマンドを受信することによって初期設定モードに移行し、当該調光器に設けられたＬＥＤを点灯する（Ｓ１２）。
【００７７】
ここで、ユーザは、ＬＥＤが点灯している調光器の初期設定ボタンを順番に押していく。例えば、ユーザは、調光器２０ａの初期設定ボタン２３ａを押す（Ｓ１３）。すると、調光器２０ａの制御部２１ａは、自アドレスを応答信号に含めて操作装置３０に送信する（Ｓ１１４）。
【００７８】
操作装置３０において、通信部３２が通信部２２ａから応答信号を受信すると、制御部３１は、受信された応答信号に含まれる自アドレスを、当該応答信号を送信した調光器２０ａのアドレスとして決定する（Ｓ１５）。そして、制御部３１は、決定されたアドレスを、複数の操作部のうちの一つ（例えば、操作部３３）と対応付けて記憶部３５に記憶する（Ｓ１６）。続いて、制御部３１は、決定したアドレスを、通信部３２を用いて複数の調光器２０ａ〜２０ｎに通知する（Ｓ１７）。
【００７９】
調光器２０ａは、上記通知を受信すると、ＬＥＤ２５ａを消灯する（Ｓ１８）。
【００８０】
一方で、その他の調光器（調光器２０ｂ〜２０ｎ）は、上記通知を受信すると、当該通知に含まれるアドレスをインクリメントしたアドレス（例えば、当該通知に含まれるアドレスを＋１したアドレス）を自アドレスとして記憶する（Ｓ１１５）。なお、アドレス決定処理開始時の複数の調光器２０ａ〜２０ｎの自アドレスが全て同じ場合、つまり、出荷時の所定のアドレスである特殊な場合は、ステップＳ１１５において、上述の処理に代えて、自アドレスをインクリメントして上書きする処理が行われてもよい。
【００８１】
次に、ユーザは、ＬＥＤが点灯している調光器、つまり、調光器２０ａ以外の調光器の初期設定ボタンを押す。例えば、ユーザは、調光器２０ｂの初期設定ボタン２３ｂを押す（Ｓ２０）。以降の処理は、ステップＳ１１４〜ステップＳ１１５の処理と同様である。
【００８２】
［効果等］
以上説明したように、実施の形態２では、複数の調光器２０ａ〜２０ｎのうち一の調光器がアドレス要求に応じて送信したアドレスが、他の調光器のアドレスと重複する場合に、当該他の調光器がアドレス重複情報を操作装置３０に送信する。そして、操作装置３０は、アドレス重複情報の受信をトリガとして、モード移行コマンドを送信する。
【００８３】
このような処理によれば、ユーザは、操作装置３０の電源を投入するだけで、複数の調光器２０ａ〜２０ｎを自動的に初期設定モードに移行させることができる。
【００８４】
また、実施の形態２では、複数の調光器２０ａ〜２０ｎのうち最初に設定ボタンが押された調光器２０ａ（第１制御装置の一例）は、調光器２０ａの記憶部２４ａに記憶された自アドレス（第１アドレス）を応答信号に含めて送信する。そして、複数の調光器２０ａ〜２０ｎのうち調光器２０ａの次に設定ボタンが押された調光器２０ｂ（第２制御装置の一例）は、調光器２０ａのアドレスをインクリメントしたアドレス（第２アドレス）を応答信号に含めて送信する。言い換えれば、複数の調光器２０ａ〜２０ｎのうち調光器２０ａ以外の調光器であって、アドレスが決定されていない調光器である調光器２０ｂは、第１アドレスをインクリメントする。
【００８５】
このような処理によれば、複数の調光器２０ａ〜２０ｎの記憶部に候補アドレスが記憶される必要がないため、複数の調光器２０ａ〜２０ｎの記憶リソースを低減することができる。
【００８６】
（実施の形態３）
［実施の形態３に係るアドレス決定処理］
上記実施の形態１では、候補アドレスは、複数の調光器２０ａ〜２０ｎの記憶部内に記憶され、複数の調光器２０ａ〜２０ｎから操作装置３０に送信された。しかしながら、候補アドレスは、予め操作装置３０の記憶部３５内に記憶されていてもよい。実施の形態３では、このような場合のアドレス決定処理について図７を参照しながら説明する。図７は、実施の形態３に係るアドレス決定処理のシーケンス図である。
【００８７】
なお、以下の実施の形態３では、実施の形態１及び２で既に説明した内容や、実質的に同一の内容については説明が簡略化または省略される。また、実施の形態３に係るアドレス決定処理は、照明制御システム１００とほぼ同一の照明制御システムを用いて実行されるが、実施の形態１と異なり、複数の調光器２０ａ〜２０ｎの記憶部には、候補アドレスが記憶されていなくてもよい。
【００８８】
まず、ユーザは、操作装置３０の初期設定モード移行ボタン３４を押下する（Ｓ１０）。通信部３２は、初期設定モード移行ボタン３４がユーザによって押されることに応じて、モード移行コマンドを複数の調光器２０ａ〜２０ｎに送信する（Ｓ１１）。
【００８９】
複数の調光器２０ａ〜２０ｎのそれぞれは、モード移行コマンドを受信することによって初期設定モードに移行し、当該調光器に設けられたＬＥＤを点灯する（Ｓ１２）。
【００９０】
ここで、ユーザは、ＬＥＤが点灯している調光器の初期設定ボタンを順番に押していく。例えば、ユーザは、調光器２０ａの初期設定ボタン２３ａを押す（Ｓ１３）。すると、調光器２０ａの通信部２２ａは、応答信号を操作装置３０に送信する（Ｓ２１０）。この応答信号には、候補アドレスは含まれない。
【００９１】
操作装置３０において、通信部３２が通信部２２ａから応答信号を受信すると、制御部３１は、記憶部３５に記憶された候補アドレスを読み出し、読み出した候補アドレスを、当該応答信号を送信した調光器２０ａのアドレスとして決定する（Ｓ２１１）。なお、ステップＳ２１１では、既にアドレスとして使用されている候補アドレスがある場合、当該候補アドレスは読み出されない。そして、制御部３１は、決定されたアドレスを、複数の操作部のうちの一つ（例えば、操作部３３）と対応付けて記憶部３５に記憶する（Ｓ１６）。続いて、制御部３１は、決定したアドレスを、通信部３２を用いて複数の調光器２０ａ〜２０ｎに通知する（Ｓ１７）。
【００９２】
調光器２０ａにおいては、通信部２２ａ上記通知を受信すると、制御部２１ａは、ＬＥＤ２５ａを消灯する（Ｓ１８）。
【００９３】
次に、ユーザは、ＬＥＤが点灯している調光器、つまり、調光器２０ａ以外の調光器の初期設定ボタンを押す。例えば、ユーザは、調光器２０ｂの初期設定ボタン２３ｂを押す（Ｓ２０）。以降の処理は、ステップＳ２１０〜ステップＳ１８の処理と同様である。
【００９４】
［効果等］
以上説明したように、実施の形態３では、操作装置３０の記憶部３５は、アドレスの候補である候補アドレスが複数記憶された第２候補アドレス記憶部としても機能する。そして、操作装置３０の制御部３１は、応答信号を受信するごとに、記憶部３５に記憶された候補アドレスのうち未使用の候補アドレスを、当該応答信号を送信した調光器のアドレスとして決定する。
【００９５】
このような処理によれば、複数の調光器２０ａ〜２０ｎ側の処理を簡素化することができる。
【００９６】
（その他の実施の形態）
以上のように、本出願において開示する技術の例示として、実施の形態１〜３を説明した。しかしながら、本発明における技術は、これに限定されず、適宜、変更、置き換え、付加、省略などを行った実施の形態にも適用可能である。また、上記実施の形態１〜３で説明した各構成要素を組み合わせて、新たな実施の形態とすることも可能である。
【００９７】
そこで、以下、他の実施の形態をまとめて説明する。
【００９８】
上記実施の形態に係るアドレス決定処理を実行する照明制御システムは、照明制御システム１００のような構成に限定されるものではない。例えば、スマートフォン、タブレット端末、またはＰＤＡなどの携帯端末が、操作装置として用いられてもよい。図８は、変形例に係る照明制御システムのシステム構成図である。なお、図８では、照明制御システム１００と実質的に同一の構成要素については同一の符号が付され、詳細な説明が省略される。
【００９９】
図８に示される照明制御システム２００は、複数の調光器２０ａ〜２０ｎと、操作装置として機能する携帯端末１３０と、複数の照明器具１１０ａと、複数の照明器具１１０ｎと、無線通信装置１５０とを備える。
【０１００】
照明制御システム２００においては、調光器２０ａには複数の照明器具１１０ａが有線接続され、調光器２０ｎには複数の照明器具１１０ｎが有線接続されている。そして、複数の調光器２０ａ〜２０ｎは、無線通信装置１５０と信号線４０によって接続されている。
【０１０１】
ここで、無線通信装置１５０は、具体的には、ｂｌｕｅｔｏｏｔｈ（登録商標）や、無線ＬＡＮ（例えば、Ｗｉ−Ｆｉ（登録商標））などの通信規格に対応した通信部を有し、携帯端末１３０と無線通信を行う。なお、無線通信に用いられる通信規格は、特に限定されるものではない。
【０１０２】
携帯端末１３０は、無線通信装置１５０と同様に無線通信が可能な通信部を有し、当該通信部を用いて無線通信装置１５０と無線通信を行う。携帯端末１３０の表示部１２０（表示画面）には、ＧＵＩとして、操作部１３３を含む複数の操作部と、初期設定モード移行ボタン１３４とを備える。
【０１０３】
照明制御システム２００では、携帯端末１３０から制御の指示は、無線通信装置１５０に送信され、当該指示は、信号線４０を介して複数の調光器２０ａ〜２０ｎに伝送される。このような照明制御システム２００も、上記実施の形態で説明したアドレス決定処理を実行することができる。
【０１０４】
また、上記実施の形態で説明した調光器は、制御装置の一例である。上記実施の形態に係る照明制御システムには、調光器とは異なる態様の制御装置が用いられてもよい。例えば、上記実施の形態に係る照明制御システムには、調色を制御する制御装置が用いられてもよい。この場合、制御の対象となる照明器具は、発光色（色温度）が異なる少なくとも２種類のＬＥＤが用いられるなどにより、調色機能に対応する。
【０１０５】
また、上記実施の形態では、調光器と照明器具は別体であるとして説明されたが、照明器具が調光器を内蔵するなどにより、調光器と照明器具が一体化されていてもよい。また、調光器の機能の一部を照明器具が担ってもよい。
【０１０６】
上記実施の形態では、照明器具には、光源としてＬＥＤが用いられた。しかしながら、照明器具には、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子が光源として用いられてもよい。また、照明器具には、蛍光管が光源として用いられてもよい。
【０１０７】
また、上記実施の形態では、照明器具は、平面視形状が円形のシーリングライトであると説明されたが、照明器具は、直管形のランプを用いた照明器具や、ダウンライト等のその他の照明器具であってもよい。つまり、上記実施の形態の照明制御システムは、種々の照明器具に適用可能である。
【０１０８】
なお、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１０９】
また、各構成要素は、回路でもよい。これらの回路は、全体として１つの回路を構成してもよいし、それぞれ別々の回路でもよい。また、これらの回路は、それぞれ、汎用的な回路でもよいし、専用の回路でもよい。
【０１１０】
また、上記実施の形態において、特定の処理部が実行する処理を別の処理部が実行してもよい。また、複数の処理の順序が変更されてもよいし、複数の処理が並行して実行されてもよい。
【０１１１】
また、本発明の包括的または具体的な態様は、システム、方法、集積回路、コンピュータプログラムまたはコンピュータ読み取り可能なＣＤ−ＲＯＭなどの記録媒体で実現されてもよい。また、本発明の包括的または具体的な態様は、システム、方法、集積回路、コンピュータプログラムまたは記録媒体の任意な組み合わせで実現されてもよい。
【０１１２】
例えば、本発明は、上記実施の形態のアドレス決定方法（アドレス決定処理）として実現されてもよいし、上記実施の形態の照明制御システム、または、照明制御システムの各構成要素（例えば、調光器または操作装置）として実現されてもよい。また、本発明は、携帯端末を操作装置として動作させるためのアプリケーション（プログラム）として実現されてもよい。
【０１１３】
以上のように、本発明における技術の例示として、実施の形態を説明した。そのために、添付図面及び詳細な説明を提供した。
【０１１４】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１１５】
また、上述の実施の形態は、本発明における技術を例示するためのものであるから、特許請求の範囲またはその均等の範囲において種々の変更、置き換え、付加、省略などを行うことができる。
【符号の説明】
【０１１６】
１０ａ、１０ｂ、１０ｎ、１１０ａ、１１０ｎ  照明器具
２０ａ、２０ｂ、２０ｎ  調光器（制御装置）
２２ａ、２２ｂ、２２ｎ  通信部（送信部）
２３ａ、２３ｂ、２３ｎ  初期設定ボタン（設定ボタン）
２４ａ、２４ｂ、２４ｎ  記憶部（アドレス記憶部、第１候補アドレス記憶部）
２５ａ、２５ｂ、２５ｎ  ＬＥＤ（報知部）
３０  操作装置
３１  制御部（決定部）
３２  通信部（受信部）
３３、１３３  操作部
３４、１３４  初期設定モード移行ボタン（モード移行ボタン）
３５  記憶部（記憶部、第２候補アドレス記憶部）
４０  信号線（通信ネットワーク）
１００、２００  照明制御システム
【図１】
0006467705.tif 000002
【図２】
0006467705.tif 000003
【図３】
0006467705.tif 000004
【図４】
0006467705.tif 000005
【図５】
0006467705.tif 000006
【図６】
0006467705.tif 000007
【図７】
0006467705.tif 000008
【図８】
0006467705.tif 000009